(57)【特許請求の範囲】
【請求項１】
リンクレバーとストロボ発光ケースがリンクされ、上記リンクレバーの回転によって上記ストロボ発光ケースが上下するストロボのポップアップ機構において、上記リンクレバーと上記ストロボ発光ケースの係合部に相対位置調整手段を介在させると共に、上記リンクレバーは、上記ストロボ発光ケースを上方に押し上げるポップアップバネの付勢力に抗して、カメラの鏡胴を駆動する鏡胴駆動モータの回転に連動して回転する第２のレバーによって係止されることを特徴とするストロボのポップアップ機構。
【請求項２】
前記相対位置調整手段を偏心ピンとし、前記リンクレバーの一方の軸と上記偏心ピンの偏心軸が軸着され、上記偏心ピンの外周辺が前記ストロボ発光ケースの穴に内接し、上記偏心ピンの回転によって前記リンクレバーと前記ストロボ発光ケースの相対位置が調整されることを特徴とする請求項１記載のストロボのポップアップ機構。
【請求項３】
請求項１または２に記載のストロボのポップアップ機構を有し、リンクレバーとストロボ発光ケースのリンク部に設けた相対位置調整手段をその調整を終了した後に相対変位不能に固定したことを特徴とするストロボ内蔵カメラ。
【発明の詳細な説明】
【０００１】
【発明の属する技術分野】
本発明は、撮影状態と非撮影状態の間でポップアップやポップダウンするストロボのポップアップ機構およびストロボ内蔵カメラに関する。
【０００２】
【従来の技術】
カメラのストロボは、被写体となる人物の「赤目」を防止するために、レンズからある程度離れた位置で発光させるのが好ましい。そのため、ストロボを内蔵したカメラでは、撮影に際してストロボをポップアップさせる構造になっているものも多い。このようなストロボのポップアップ機構には、手動で操作するものと、モータを用いた電動駆動のものがある。
【０００３】
手動操作でストロボをポップアップさせるカメラは、撮影時に必要に応じて、あるいはカメラの露光不足表示等に応じてスライドスイッチを操作し、ストロボをバネの付勢力によってポップアップし、撮影終了後に手でカメラ本体内にポップダウンさせる。
【０００４】
一方、電動駆動のカメラは、撮影時にメインスイッチをオンにすると、モータ駆動によってストロボをポップアップする。あるいは、露光不足のときに自動的にストロボをポップアップする。また、撮影終了時にメインスイッチをオフにすると、モータ駆動によってストロボをカメラ本体内にポップダウンする。
【０００５】
なお、ズームレンズを搭載したカメラでは、鏡胴駆動モータによるズームレンズの収納状態とワイド撮影状態との間の動作に連動してストロボをポップアップ・ポップダウンさせるものがある。
【０００６】
【発明が解決しようとする課題】
ところで、鏡胴駆動モータまたは専用の駆動モータにより、沈胴と撮影状態の間でストロボをポップアップ・ポップダウンする電動駆動のカメラでは、駆動モータとストロボとの間に介在するギアのバックラッシュや部品精度のバラツキ（以下「製作誤差等」という）により、ポップダウン時にストロボ発光部ケースとカメラ本体との間に段差が生じることがある。
【０００７】
なお、この段差を解消するための構造として、ポップアップの駆動レバーを２つ使い、互いにバネをかけて一方をオーバーチャージすることにより、段差分を吸収する構成が考えられる。しかし、この構成では、駆動モータにとってストロボをポップアップ・ポップダウンさせる力量に加えて、バネのオーバーチャージ分の力量が必要であり、余分な負荷がかかることになる。そのため、ギヤ比やモータの選択に制約が生じる問題がある。
【０００８】
本発明の目的は、ストロボをポップアップ・ポップダウンするカメラにおいて、製作誤差等によりポップダウン時にストロボ発光ケースとカメラ本体との間に生じる段差等の不具合を製造段階で調整するためのストロボのポップアップ機構およびストロボ内蔵カメラを提供することにある。
【０００９】
【課題を解決するための手段】
かかる目的を達成するために、請求項１記載の発明は、リンクレバーとストロボ発光ケースがリンクされ、リンクレバーの回転によってストロボ発光ケースが上下するストロボのポップアップ機構において、リンクレバーとストロボ発光ケースの係合部に相対位置調整手段を介在させると共に、リンクレバーは、ストロボ発光ケースを上方に押し上げるポップアップバネの付勢力に抗して、カメラの鏡胴を駆動する鏡胴駆動モータの回転に連動して回転する第２のレバーによって係止される。なお、この相対位置調整手段としては偏心ピンが好ましい。
【００１０】
この偏心ピンを利用した場合、リンクレバーの一方の軸とこの偏心ピンの偏心軸が軸着され、偏心ピンの外周辺がストロボ発光ケースの穴に内接し、偏心ピンの回転によってリンクレバーとストロボ発光ケースの相対位置を調整することとなる。
【００１１】
このようなストロボのポップアップ機構を内蔵するカメラは、製造段階でポップダウン時の高さ調整、すなわち、通常はカメラ本体を同一高さとする調整が施される。このため、製作誤差等があっても、完成品としては、常に、ストロボ部分に段差が生じていないカメラとすることができ、商品価値を損なうことがない。
【００１２】
【発明の実施の形態】
本発明の実施の形態のストロボ内蔵カメラにおけるストロボのポップアップ機構の構成を図１から図７に基づいて説明する。なお、図１の状態は、ストロボがポップダウンしているときのものである。
【００１３】
図１において、鏡胴駆動モータ８の回転が複数のギアを介して減速され、ギヤ７で鏡胴９およびファインダレンズ（図示せず）を駆動する系列のギヤ１０とポップアップ・ポップダウン系列のギヤ２に分岐される。ギヤ１０側に分岐された駆動力の一部は、ギヤ２０を介して、鏡胴９に設けられたギヤに伝えられる。また、ギヤ２１，２２を介してファインダレンズに伝えられる。
【００１４】
第２のレバーとなるレバー３は、ギヤ２とコバン形部３ａで嵌合して一体化され、ポップ・アップ時には、ポップ・ダウンの際の位置（図１の状態）から反時計回りに回転する。リンクレバー４の一端は、ギヤ２と回転自在に嵌合し、ポップ・ダウン時の位置で係止部４ａを介してレバー３に係止される。一方、リンクレバー４の他端には、相対位置調整手段となる偏心ピン５が取り付けられ、この偏心ピン５がストロボ発光ケース１に設けられた長穴１ａに係合している。なお、ストロボ部１ｂは、ストロボ発光ケース１の上部に設けられている。
【００１５】
ストロボ発光ケース１には、カメラ本体とストロボ発光ケース１との間に設けたポップアップバネ６の付勢力によりポップアップしようとする力が常時働き、さらに偏心ピン５を介してリンクレバー４を反時計回りに回転させる力が働く。しかし、鏡胴９が沈胴している状態では、リンクレバー４の直角に折れ曲がった係止部４ａがレバー３に係止されているので、ポップダウン状態を維持する。すなわち、ストロボ発光ケース１のポップダウン状態における位置は、ポップアップバネ６の付勢力によってリンクレバー４が反時計回りに回転しようとする力をその係止部４ａを介してレバー３が押さえつけるようにして保持される。
【００１６】
なお、ストロボ発光ケース１には、図示しないボスが設けられ、カメラ本体側の規制長穴（図示省略）によって規制されて下限位置が決められており、仮にレバー３が時計回りにさらに回転しようとしても、それ以上は下がらないようになっている。また、ストロボ発光ケース１は、上下動は行えるものの横方向への動きが規制されるものとなっている。
【００１７】
ここで、カメラ本体の電源をオンにし、鏡胴９を鏡胴駆動モータ８の回転によって沈胴状態からワイド撮影状態に前進させる。この鏡胴駆動モータ８の回転によって、ギヤ２およびレバー３が反時計回りに回転すると、係止部４ａを介してレバー３に係止されているリンクレバー４が自由になる。すると、ポップアップバネ６によりストロボ発光ケース１が所定のストロークだけポップアップし、偏心ピン５を介してリンクレバー４も反時計回りに一定量回転する。この状態を図２に示す。
【００１８】
図２において、ストロボ発光ケース１のポップアップ時には、レバー３とリンクレバー４の係止部４ａが完全に離れ、ポップアップ・ポップダウンの負荷がレバー３側にかからないようになっている。すなわち、ポップアップ状態（＝ワイド撮影状態）では、レバー３と係止部４ａとの間に隙間αが形成されるように構成している。したがって、ストロボ発光ケース１を手で押し下げても、それに合わせてリンクレバー４が時計回りに回転するだけであり、手を離せばポップアップバネ６の力でポップアップ状態に復帰する。
【００１９】
なお、ストロボ発光ケース１には、上述したようにボスが設けられており、カメラ本体側の規制長穴によって上限位置が決められており、ポップアップバネ６の付勢力に抗してポップアップ状態の位置規制を行っている。すなわち、ポップアップバネ６によってストロボ発光ケース１が上方にさらに移動しようとしても、ボスと規制長穴によってそれ以上は上昇しないようになっている。
【００２０】
なお、図２におけるレバー３の位置は、カメラ本体内に収納されていたズームレンズがワイド撮影状態になる位置に対応する。そして、ギヤ２およびレバー３は、望遠撮影状態の位置まで反時計回りにさらに回転可能となっている。望遠撮影状態におけるレバー３の位置を２点鎖線で示す。この位置では、レバー３はカメラ本体側に設けた望遠時のストッパ部２３に突き当たり望遠位置が規制されるようになっている。
【００２１】
次に、ポップダウンするときには、鏡胴駆動モータ８の回転によってギヤ２およびレバー３が時計回りに回転し、レバー３がリンクレバー４の係止部４ａを押してポップダウン位置まで回転して止まる。このとき、ストロボ発光ケース１を手で押さえてポップダウンを阻止すると、鏡胴駆動モータ８に隣接するギヤ１１に設けられたスプリングクラッチ１１ａによってギヤが空回りしてギヤ７等が損傷するのを阻止している。
【００２２】
このストロボのポップアップ機構の特徴は、製造工程において、リンクレバー４とストロボ発光ケース１との間に介在させた偏心ピン５を回転させることにより、リンクレバー４とストロボ発光ケース１との相対位置を調整するところにある。図３に示すように、偏心ピン５がリンクレバー４に対して軸１２を中心に回転すると、偏心ピン５に当接するストロボ発光ケース１の長穴１ａ、すなわちストロボ発光ケース１自体が上下する。ここで、符号１３，１４，１５は、偏心ピン５とストロボ発光ケース１の長穴１ａの当接面を示す。この当接面１３と１５の間隔Ｄがストロボ発光ケース１の位置調整範囲に対応する。
【００２３】
ここで、ストロボ発光ケース１のポップダウン時に、製造誤差等によりリンクレバー４が図４に２点鎖線で示すようにずれてしまうと、ストロボ発光ケース１とカメラ本体との間に段差を生じさせてしまう。例えば、図５(1),(4) に示すストロボ発光ケース１の長穴１ａの位置が設計位置とすると、製造誤差等によるリンクレバー４のずれによって、図５(2),(5) のように長穴１ａの位置が上下する。この長穴１ａの上下動によってストロボ発光ケース１とカメラ本体との間に段差が生じる。
【００２４】
このとき、図５(3) のように偏心ピン５を反時計回りに回転させ、長穴１ａを押し上げてリンクレバー４の軸１２と長穴１ａとの相対位置を変えることにより、ストロボ発光ケース１を図５(1)に示す設計位置に調整することができる。また、図５(6) のように偏心ピン５を時計回りに回転させ、長穴１ａを押し下げてリンクレバー４の軸１２と長穴１ａとの相対位置を変えることにより、ストロボ発光ケース１を図５(4)に示す設計位置に調整することができる。
【００２５】
なお、図４は、リンクレバー４がずれても偏心ピン５を回転させることにより、ストロボ発光ケース１の長穴１ａを一定位置に維持できる様子を示したものである。このように偏心ピン５を調整した後に、リンクレバー４と偏心ピン５を接着剤等により固定することにより、リンクレバー４とストロボ発光ケース１との相対位置が固定され、ストロボ発光ケース１とカメラ本体との相対位置が設計どおりとなる。
【００２６】
図６は、図１のＡ−Ａ断面図であり、図７は、図１のＢ−Ｂ断面図である。対応する箇所は図１と同一符号を付した。なお、偏心ピン５は、カメラ本体に設けた窓１６から挿入されるマイナスドライバ等によって容易に回転できるように、その上面に溝１７が形成されている。また、製造段階では、偏心ピン５は、リンクレバー４を貫通する軸１２の部分がかしめられており、調整後に接着固定される。
【００２７】
この実施の形態では、偏心ピン１５の外接部分が長穴１ａの上下の辺に近接または接するようにされているので、ガタつきがほとんど生じない。また、長穴１ａによって、偏心ピン５の長穴１ａ内の相対位置が変わるので、ストロボ発光ケース１はスムーズな上下動を行うことができる。
【００２８】
上述の実施の形態は、本発明の好適な実施の形態の例であるが、これに限定されるものではなく、本発明の要旨を逸脱しない範囲において種々の変形実施が可能である。例えば、ストロボ発光ケース１をポップアップ・ポップダウンするための専用の駆動モータを備え、その駆動モータによってリンクレバー４を直接回転させるようにしてもよい。この場合には、ポップアップバネ６をそのまま使用する一方、鏡胴駆動モータ８の代わりに専用の駆動モータで動作させる方法を採用したり、ポップアップバネ６の付勢力によってポップアップし、また付勢力に抗してポップダウンするのではなく、駆動モータの動きに直接連動させてポップアップ・ポップダウンさせる方法等種々の方法を採用することができる。
【００２９】
また、上述の実施の形態では、偏心ピン５は、リンクレバー４に取りつけられているが、ストロボ発光ケース１側に偏心ピン５を取り付け、長穴をリンクレバー４側に設けるようにしても良い。この場合、偏心ピン５は、調整後、ストロボ発光ケース１に接着剤等で固定される。さらには、相対位置調整手段としては、偏心ピン５の他に、楕円ピンを採用し、偏心させるのではなくその中心を回転中心として回転させるものや、通常の円形ピンをレバー４の長手方向にスライドさせて調整するもの等各種の手段を採用することができる。
【００３０】
また、上述の実施の形態では、鏡胴駆動モータ８を使用した例を示したが、レバー３の駆動を電磁クラッチで行わせたりする等、他の駆動手段を採用するようにしても良い。
【００３１】
【発明の効果】
以上説明したように、本発明のストロボのポップアップ機構は、ストロボ発光ケースのポップダウン時に、偏心ピン等の相対位置調整手段を動作させることによりストロボ発光ケースの高さを容易に調整することができる。したがって、製造誤差等により、例えば、カメラ本体とストロボ発光ケースとの間に段差が生じても、容易に段差を解消することができる。これにより、製造工程における調整作業が簡単になり、かつ部品精度を緩和することができるので、コスト低減が可能となる。
【００３２】
また、上述のストロボのポップアップ機構を有するストロボ内蔵カメラは、製造誤差等により、例えば、カメラ本体とストロボ発光ケースとの間に段差が生じても製造工程で簡単にその段差を解消できるので、設計目論見どおりの製品を完成品として出荷することが可能となる。このため、ばらつきの無い高品質のカメラを提供することが可能となる。
【図面の簡単な説明】
【図１】本発明の実施の形態のストロボ内蔵カメラにおけるストロボのポップアップ機構のポップダウン時の状態を示す要部構成図である。
【図２】図１のストロボのポップアップ機構のポップアップ時の状態を示す要部構成図である。
【図３】図１のストロボのポップアップ機構のリンクレバーと偏心ピンとストロボ発光ケースの長穴との関係を説明する図である。
【図４】図１のストロボのポップアップ機構のリンクレバーのずれによるストロボ発光ケースのずれを、偏心ピンの回転によって調整する様子を説明する図で、長穴の位置を基準とした場合を示す図である。
【図５】図１のストロボのポップアップ機構のリンクレバーのずれによるストロボ発光ケースのずれを、偏心ピンの回転によって調整する様子を説明する図で、（１）〜（３）がストロボ発光ケースが下がった場合の調整を示し、（４）〜（６）がストロボ発光ケースが上がった場合の調整を示す図である。
【図６】図１のＡ−Ａ断面図である。
【図７】図１のＢ−Ｂ断面図である。
【符号の説明】
１  ストロボ発光ケース
１ａ  長穴
１ｂ  ストロボ部
２  ギヤ
３  レバー（第２のレバー）
４  リンクレバー
５  偏心ピン（相対位置調整手段）
６  ポップアップバネ
８  鏡胴駆動モータ
９  鏡胴
１１  ギヤ
１１ａ  スプリングクラッチ
１２  軸
１３，１４，１５  偏心ピンとストロボ発光ケースの長穴の当接面
１６  窓
１７  溝
【図１】
0003923637.tif 000002
【図２】
0003923637.tif 000003
【図３】
0003923637.tif 000004
【図４】
0003923637.tif 000005
【図５】
0003923637.tif 000006
【図６】
0003923637.tif 000007
【図７】
0003923637.tif 000008